(57)【要約】【課題】携帯用ゲーム機器を使用する際に、当該機器を安定して保持して操作キーの操作をより容易にするための固定用ホルダーを携帯性を失わずに安価に提供する。【解決手段】携帯用ゲーム機器用の固定ホルダーであって、携帯用ゲーム機器の紐通孔に取り付けられた可撓性紐材と、前記可撓性紐材が貫通する細い筒状の孔を有する保持部分と、前記保持部分を前記可撓性紐材の所望の位置で係止可能な係止部分とからなり、前記保持部分は携帯用ゲーム機器の利用者の掌に収まる形状及び大きさである。【選択図】図１
2012040061.tif 000002
【特許請求の範囲】
【請求項１】
携帯用ゲーム機器の紐通孔に取り付けられた可撓性紐材と、
前記可撓性紐材が貫通する細い筒状の孔を有する保持部分と、
前記保持部分を前記可撓性紐材の所望の位置で係止可能な係止部分とからなり、
前記保持部分は携帯用ゲーム機器の利用者の掌に収まる形状及び大きさであることを特徴とする携帯用ゲーム機器用の固定ホルダー。
【請求項２】
前記保持部分の上端部は上側に向かって凹型の形状をしており、該凹型の部分が携帯用ゲーム機器と嵌接可能であることを特徴とする請求項１記載の携帯用ゲーム機器用の固定ホルダー。
【請求項３】
前記保持部分の表面は保持する指の形に合わせて凹んで形成されており握り易い形状であることを特徴とする請求項１ないし２のいずれかに記載の携帯用ゲーム機器用の固定ホルダー。
【請求項４】
前記可撓性紐材に連結部を介してネジ棒が連結されており、該ネジ棒に係止部分である蝶ナットを螺合することにより前記保持部分を所望の位置で係止可能であり、前記保持部分は前記可撓性紐材、該ネジ棒及び前記連結部が貫通することができる細い筒状の孔を有することを特徴とする請求項１ないし３のいずれかに記載の携帯用ゲーム機器用の固定ホルダー。
【発明の詳細な説明】
【技術分野】
【０００１】
この発明は、携帯用ゲーム機器を使用する際に、当該機器の操作キーの操作をより容易にするための固定用ホルダーに関する。
【背景技術】
【０００２】
半導体技術等の発達により、電源を内蔵した小型軽量で携帯しながらいつでもゲームを楽しむことができる携帯用ゲーム機器が一般に出回るようになった。この携帯用ゲーム機器では、ゲームソフトを搭載することによって様々なゲームを楽しむことができるようになっている。そして、携帯用ゲーム機器の操作方法としては、携帯用ゲーム機器に取り付けられている操作用のキーを押す等の方法などが行われている。
しかし、携帯用ゲーム機器は、一般のゲーム機器と比較すると小さく、利用者が携帯用ゲーム機器を持ちながら操作しなければならないため、携帯用ゲーム機器を安定して持とうとすると、利用者が複数の指を使って操作キーを操作することが難しくなるという問題がある。
【０００３】
そこで、利用者が携帯用ゲーム機器を使用する際に用いられる保持具がいくつか提供されている。
例えば、保持機構付きコントローラの保持機構の汎用化を図ることを目的として、コントローラケースの上面に携帯電話の一部を当接させるための左キープレートを立設すると共に、該左キープレートと離間してバネにより付勢された右キープレートを摺動自在に設け、該左キープレートと該右キープレートとによって前記携帯電話を圧接挟持するように構成された保持機構付きコントローラが提供されている（特許文献１を参照）。
また、携帯ゲーム機を用いて、リアルな操作感覚を体感を可能にすることなどを目的として、運動状態または傾斜あるいは方位角検知センサー付ゲーム機本体を保持具に固定し、保持具自体を操ることにより、ゲーム機の操作を簡便化及び多様化し、保持具を利用者により扱いやすい把持部分が形成されたものにしたり、利用者に装着可能な固定手段を有して形成された携帯ゲーム保持具が提供されている（特許文献２を参照）。
【先行技術文献】
【特許文献】
【０００４】
【特許文献１】特開２００２−１８２８２０号公報
【特許文献２】特開２００６−１３６６９４号公報
【発明の概要】
【発明が解決しようとする課題】
【０００５】
しかし、これらの保持具では、場所を取り携帯用ゲーム機器の特長である携帯性が失われるだけでなく、携帯用ゲーム機器を使用しない時の収納にも不便であり、さらにコストも高いという問題があった。
【０００６】
そこで、本発明は、携帯用ゲーム機器を使用する際に、当該機器を安定して保持して操作キーの操作をより容易にするための固定用ホルダーを携帯性を失わずに安価に提供することを目的としている。
【課題を解決するための手段】
【０００７】
上記の課題を解決するために、本発明は、携帯用ゲーム機器用の固定ホルダーであって、携帯用ゲーム機器の紐通孔に取り付けられた可撓性紐材と、前記可撓性紐材が貫通する細い筒状の孔を有する保持部分と、前記保持部分を前記可撓性紐材の所望の位置で係止可能な係止部分とからなり、前記保持部分は携帯用ゲーム機器の利用者の掌に収まる形状及び大きさである。
【０００８】
また、前記保持部分の上端部は、上側に向かって凹型の形状をしており、該凹型の部分が携帯用ゲーム機器と嵌接可能である。
【０００９】
また、前記保持部分の表面は保持する指の形に合わせて凹んで形成されており握り易い形状である。
【００１０】
さらに、前記可撓性紐材に連結部を介してネジ棒が連結されており、該ネジ棒に係止部分である蝶ナットを螺合することにより前記保持部分を所望の位置で係止可能であり、前記保持部分は前記可撓性紐材、該ネジ棒及び前記連結部が貫通することができる細い筒状の孔を有する。
【発明の効果】
【００１１】
第一に、本発明にかかる固定用ホルダーによれば、操作している利用者が片方の中指・薬指・小指などと掌だけで携帯用ゲーム機器と固定された保持部分をしっかりと保持できるので、利用者は複数の指で携帯用ゲーム機器に取り付けられている操作キーを、速く細かく操作することができるという効果がある。
第二に、本発明にかかる固定用ホルダーは、常に携帯用ゲーム機器に固定されているのではなく、携帯用ゲーム機器を使用しない場合は、係止部分の位置を変えることによって、可撓性紐材の部分で自由に曲げることが可能であることから、収納する際にコンパクトに収納することができるという効果もある。
第三に、本発明にかかる固定用ホルダーは部品点数が少なく、また高価な部品も用いていないことから、安価に提供できるという効果もある。
【図面の簡単な説明】
【００１２】
【図１】実施例１の場合の固定用ホルダーを示した説明図である。
【図２】実施例１の場合の保持部分を握り易い形状にした場合の説明図である。
【図３】本発明にかかる固定用ホルダーを実際に使用している状態の説明図である。
【図４】実施例２の場合の固定用ホルダーを示した説明図である。
【図５】実施例２の場合の保持部分を除いてネジ棒と可撓性紐材の連結状態を示した説明図である。
【発明を実施するための形態】
【００１３】
次に、本発明に係る固定用ホルダーの実施例につき、図面を参照しながら、以下に詳しく説明する。
【実施例１】
【００１４】
図１は、本願にかかる固定用ホルダーを示した説明図である。
本発明にかかる固定ホルダーは、携帯用ゲーム機器１の紐通孔２に取り付けられた可撓性紐材３と、前記可撓性紐材３が貫通する細い筒状の孔を有し、利用者の掌に収まる形状及び大きさである保持部分４と、前記保持部分４を前記可撓性紐材３の所望の位置で係止可能な係止部分５とからなっている。
【００１５】
可撓性紐材３は、携帯用ゲーム機器１の角などに設けられているストラップ等を通して結ぶことができるようになっている紐通孔２に、取り付けられている。取り付け方法としては、一本の可撓性紐材３の一端を、紐通孔２で結ぶ方法だけでなく、一本の可撓性紐材３を中央部分で２つに折り、まず折った部分の先端を折り合わせるようにして紐通孔２に挿通し、次に両端部分を一緒にして、２つに折った先端部分の間に挿通することによって取り付ける方法でも良い。さらに、可撓性紐材３が一本の輪になっていても良く、この場合、輪の一部を折り合わせるようにして紐通孔２に挿通した後、輪の反対側を紐通孔２に挿通した該輪の一部の間に挿通することによって取り付ける方法でも良い。
可撓性紐材３の材料としては、木綿、ポリプロピレン、ポリスチレンなど様々なものが可能である。
【００１６】
保持部分４は、利用者がゲームを操作する際に掌で握るものであり、その大きさは利用者の掌の中に収まるものであれば良い。また、形状は握りやすい形状となっている。保持部分４の材料としては、ゴム、木、ポリプロピレン、ポリスチレンなど様々なものが可能である。
また、可撓性紐材３を通すために、保持部分４の長手方向の略中心軸に沿って貫通している、細い筒状の孔が形成されている。当該孔の内径は、前記可撓性紐材３の外径よりもやや大きいものであれば良い。可撓性紐材３が携帯用ゲーム機器１と一本の可撓性紐材３を２つに折って取り付けられている場合は、２つに折った場合の可撓性紐材３の外径、即ち２本分の可撓性紐材３の外径よりもやや大きいものであれば良い。これによって、保持部分４は、係止部分５で係止されていない場合は、前記可撓性紐材３に沿って自由に、その位置を変えることが可能となる。
さらに、保持部分４の上端部は、上側即ち携帯用ゲーム機器１の側に向かって凹型の形状をしていても良い。そして、携帯用ゲーム機器１を利用する際には、この凹型の形状の部分を携帯用ゲーム機器１の一部に嵌接させることによって、より携帯用ゲーム機器１にしっかりと固定することが可能となる。
保持部分４の形状は、卵形、円柱など、様々な形状が可能であり、また、図２に示すように、保持部分４の表面は、利用者が保持する指の形に合わせて凹んで形成されており、利用者の中指・薬指・小指などで、より握り易い形状に成形されていてもよい。
【００１７】
係止部分５は、前記保持部分４を前記可撓性紐材３の所望の位置で係止可能なものであれば良い。図１に示した係止部分５は、当該係止部分５の押釦の箇所を押すことによって前記可撓性紐材３を挿通することができる細い筒状の孔が貫通しているものである。そして、前記可撓性紐材３を挿通した後は、押釦の箇所を押すことに前記可撓性紐材３に沿って移動可能であり、押釦の箇所を押すのを止めることにより前記保持部分４を前記可撓性紐材３の所望の位置で係止することが可能である。なお、係止部分５の材料としては、ポリプロピレン、ポリスチレン、金属、木など様々なものが可能である。
携帯用ゲーム機器１を利用する場合は、前記保持部分４を携帯用ゲーム機器１に固定する位置で、係止部分５によって係止する。これによって、本発明にかかる固定ホルダーは携帯用ゲーム機器１に固定されるので、利用者は片手で保持部分４を安定して保持できるようになり、さらに利用者は空いている複数の指を使って携帯用ゲーム機器１に取り付けられている操作キーを細かく速く操作することが可能となる。
【００１８】
より具体的には、図３に示すように、左手の中指・薬指・小指と掌部分を使って保持部分４を握るだけで、携帯用ゲーム機器１をしっかりと保持できるので、左手の親指と人差し指、さらに右手の親指と人差し指も、ゲーム機器を保持するために用いる必要がなくなり、同時に４本の指を操作キーを操作するために使用することが可能である。これにより、携帯用ゲーム機器１の操作キーを両手合わせて４本の指で自由に操作することが可能となる。また、携帯用ゲーム機器１の保持が安定しているため、例えば人差し指を横に寝かせながら、１本の指で複数の操作キー、または十字キーの場合であれば複数の凸状面、を俊敏に動かすことも可能となる。
そして、携帯用ゲーム機器１を利用しない場合は、係止部分５を移動して、前記保持部分４を携帯用ゲーム機器１から離して係止することによって、可撓性紐材３の部分で自由に曲げることが可能であることから、収納する際にコンパクトに収納することができる。
なお、図３は携帯用ゲーム機器１の左下に紐通孔２が設けられている場合であるが、携帯用ゲーム機器１の右下に紐通孔２が設けられており、その紐通孔２に可撓性紐材３を取り付ける場合は、利用者の右手の中指・薬指・小指と掌部分を使って保持部分４を握ることになる。
【００１９】
上記の通り、本発明にかかる固定用ホルダーは、部品点数が少なく、また高価な部品も用いていないことから、安価に提供することも可能である。
【実施例２】
【００２０】
図４は、実施例２の固定用ホルダーを示している。本実施例は、実施例１と異なり、前記可撓性紐材３に連結部７を介してネジ棒６が連結されており、該ネジ棒６に係止部分５である蝶ナットを螺合することにより前記保持部分４を所望の位置で係止可能である。該蝶ナットを使って強く締め付けることにより、保持部分４を携帯用ゲーム機器１にしっかりと固定することが可能である。それ以外の点は、実施例１と同じなので説明を省略する。
ネジ棒６の材料としては、金属、ポリプロピレン、ポリスチレンなど様々なものが可能である。また、係止部分５の蝶ナットの材料としては、ポリプロピレン、ポリスチレン、金属など様々なものが可能である。
【００２１】
ネジ棒６の可撓性紐材３と連結する側の先端部には、可撓性紐材３との連結部７が形成されており、例えば可撓性紐材３を挿通することができる孔が設けられて、該孔に可撓性紐材３を挿通して結ぶことによってネジ棒６と可撓性紐材３が連結されていても良い。
また、図５は保持部分４を除いてネジ棒６と可撓性紐材３の連結状態を示した説明図であるが、このように、ネジ棒６の可撓性紐材３と連結する側の先端部が、孔ではなく、フック状に屈曲されることによって連結部７を形成し、輪になっている可撓性紐材３をフック状の連結部７に引っ掛けることにより、ネジ棒６と可撓性紐材３が連結されていても良い。
保持部分４は可撓性紐材３、ネジ棒６及び連結部７が貫通することができる大きさの細い筒状の孔が、保持部分４の長手方向の略中心軸に沿って貫通している。
これによって、係止部分５で係止されていない場合、保持部分４は可撓性紐材３及びネジ棒６に沿って自由に、その位置を変えることが可能となる。
【００２２】
なお、実施例１と同様に、保持部分４の上端部は上側に向かって凹型の形状をしており、該凹型の部分が携帯用ゲーム機器１と嵌接可能であってもよい。また、保持部分４の表面は、利用者が保持する指の形に合わせて凹んで形成されており、利用者の中指・薬指・小指などで、より握り易い形状に成形されていてもよい。
【符号の説明】
【００２３】
１  携帯用ゲーム機器
２  紐通孔
３  可撓性紐材
４  保持部分
５  係止部分
６  ネジ棒
７  連結部
【図１】
2012040061.tif 000003
【図２】
2012040061.tif 000004
【図３】
2012040061.tif 000005
【図４】
2012040061.tif 000006
【図５】
2012040061.tif 000007